(57)【特許請求の範囲】
【請求項１】
外部の変圧器（２）から出力される電力を負荷側に送電するための低圧系統である低圧配電線路（１４、１６）に直列に一次側を接続された直列変圧器（３、４）と、前記低圧配電線路（１４、１６）から検出される電圧に基づいて前記直列変圧器（３、４）の二次側に補償電圧を供給し、その補償電圧を直列変圧器（３、４）の一次側を介して前記低圧配電線路（１４、１６）の電圧に重畳せしめるべく出力端子が前記直列変圧器（３、４）の二次側に接続されたインバータ（７）と、前記インバータ（７）の出力端子間のバイパス接続の開閉を行うべく設けられたバイパススイッチ（５）と、前記インバータ（７）の出力電圧を制御する電圧制御部（１１）と、前記バイパススイッチ（５）の開閉状態を制御して、前記インバータ（７）の運転を停止中にする運転モードである停止中モードでは、停止中の前記インバータ（７）を保護するべく前記バイパススイッチ（５）を閉状態にして前記インバータ（７）の出力端子間をバイパス接続し、前記インバータ（７）から前記補償電圧を出力させる運転モードである電圧補償モードでは、前記インバータ（７）の出力端子間のバイパス接続を解除するべく前記バイパススイッチ（５）を開状態にするバイパススイッチ制御部（１２）とを有する電圧補償装置（１）において、
連係準備モードとして、前記バイパススイッチ（５）を前記停止中モードの閉状態に保ったままで、前記停止中のインバータ（７）を起動してその出力電圧を零電圧に制御し、その後、連係モードとして、前記インバータ（７）の出力電圧を前記零電圧に保ったままで、前記バイパススイッチ（５）をそれまでの閉状態から開状態に切り替えて前記インバータ（７）を前記低圧系統に連係させた後、電圧補償モードとして、前記インバータ（７）による前記補償電圧の出力を実行するように、前記電圧制御部（１１）および前記バイパススイッチ制御部（１２）の制御動作を前記各モード毎に制御する運転管理部（１３）を備えた
ことを特徴とする電圧補償装置。
【請求項２】
外部の変圧器（２）から出力される電力を負荷側に送電するための低圧系統である低圧配電線路（１４、１６）に直列に一次側を接続された直列変圧器（３、４）と、前記低圧配電線路（１４、１６）から検出される電圧に基づいて補償電圧を発生させるインバータ（７）とを有し、前記補償電圧を直列変圧器（３、４）を介して前記低圧配電線路（１４、１６）の電圧に重畳せしめて前記低圧配電線路（１４、１６）の電力の電圧補償を行う電圧補償装置における、停止中モードにあって停止中の前記インバータ（７）を起動するプロセスと、前記停止中のインバータ（７）の保護のためにその停止中のインバータ（７）の出力端子間をバイパス接続しているバイパススイッチ（５）を、前記停止中モードに対応した閉状態から開状態に切り替えることで前記インバータ（７）を前記低圧系統に連係せしめて、前記電圧補償を行う電圧補償モードを開始するプロセスとを含んだ、電圧補償装置におけるインバータ（７）の連係方法において、
前記バイパススイッチ（５）を前記停止中モードに対応した閉状態に保ったままで、前記停止中のインバータ（７）の出力電圧を零電圧に制御する連係準備モードのプロセスと、
前記連係準備モードのプロセスに続いて、前記インバータ（７）の出力電圧を前記零電圧に保ったままで、前記バイパススイッチ（５）をそれまでの閉状態から開状態に切り替えて前記インバータ（７）を前記低圧系統に連係させる連係モードのプロセスと、
前記連係モードのプロセスに続いて、前記インバータ（７）から前記補償電圧を出力させて前記電圧補償を行う電圧補償モードのプロセスと、
を含むようにしたことを特徴とする、電圧補償装置におけるインバータの連係方法。
【発明の詳細な説明】
【技術分野】
【０００１】
本発明は、例えば単相三線系統の低圧配電線路の電圧補償を行う電圧補償装置、および、そのような電圧補償装置に用いられているインバータの連係方法に関する。
【背景技術】
【０００２】
従来、この種の電圧補償装置は、例えば特許文献１（特開２００５−３４１６６８号公報）によって提案されている。
図７は、特許文献１に開示されている電圧補償装置（電圧調整装置１００）の主要部の構成を示す図である。
この特許文献１による電圧補償装置は、柱上変圧器１１０の二次側の低圧配電線路２０ａ，２０ｂに対してそれぞれ一次側が直列に接続された直列変圧器２１１、２１２と、その直列変換器２１１、２１２の二次側を短絡接続する（以降、この「短絡接続」を「バイパス接続」とも記載する）ことによって運転停止中のインバータ２３１を保護するための短絡接続の開・閉（オン・オフ）を行うバイパススイッチ２２０と、低圧配電線路２０ａ，２０ｂ，２０ｎから検出される電圧測定値に基づいて調整電圧（本願で云うところの補償電圧）を発生するインバータ２３１を含んでなる調整電圧発生回路２３０とから、その主要部が構成されている。
【０００３】
低圧配電線路２０ａ，２０ｂ，２０ｎからセンサ２１３によって検出された電圧測定値は、調整電圧発生回路２３０に送られる。調整電圧発生回路２３０では、単相三線の低圧系統の出力端ａｎ間の電圧もしくは出力端ｎｂ間の電圧またはそれら両方の電圧が所定の適正範囲（例えば１０１±６［Ｖ］）内に収まるように、調整電圧を発生する。その調整電圧は、柱上変圧器１１０からその二次電圧として低圧配電線路２０ａ，２０ｂ，２０ｎに供給される電圧に、直列変圧器２１１、２１２を介して重畳される。このようにして、受電側（負荷側）へ送られる電力の電圧補償（電圧調整）を行うようにしている。
【０００４】
そして、調整電圧発生回路２３０のインバータ２３１が運転中のときには、バイパススイッチ２２０をオフ（開状態）にして、バイパス接続を切断状態に保つ。
また、調整電圧発生回路２３０のインバータ２３１が停止中のときには、バイパススイッチ２２０をオン（閉状態）にして、バイパス接続を接続状態に保ち、以て停止中のインバータ２３１を保護するようにしている。
【先行技術文献】
【特許文献】
【０００５】
【特許文献１】特開２００５−３４１６６８号公報
【発明の概要】
【発明が解決しようとする課題】
【０００６】
しかしながら、上記の特許文献１に代表されるような従来の技術では、電圧補償装置内のインバータの起動時に、低圧系統の電圧が適正範囲を超過したり系統擾乱が生じたりするという問題があった。
すなわち、図８（ａ）に模式的に例示する如く、インバータ２３１の起動時には、そのインバータ２３１の出力電流（Ｉinv）は当然に０ではなくなる。従って、閉状態のバイパススイッチ２２０を流れる電流は、そのインバータ２３１の出力電流（Ｉinv）と直列変圧器２１１，２１２の二次側電流（Ｉtr）との重畳電流（Ｉinv+Ｉtr）となる。而してそのインバータ２３１を低圧系統（低圧配電線路２０）に連係させるべく、バイパススイッチ２２０を閉状態から開状態に切り替えると、その瞬間に、図８（ｂ）に模式的に例示する如く、インバータ２３１の出力電流（Ｉinv）と直列変圧器２１１，２１２の二次側電流（Ｉtr）との差分（Ｉtr−Ｉinv）が生じ、これに起因して直列変圧器２１１，２１２の二次側の電圧（Ｖtr）が過渡的に変化し、それに伴って、一次側の電圧も過渡的に変化することとなる。このため、調整電圧発生回路２３０内のインバータ２３１の起動時に、低圧系統の電圧が適正範囲を超過したり、系統擾乱が生じたりするという問題があった。而して従来の技術では、そのような問題を解決するための有効な技術や発明は提案されていなかった。
【０００７】
本発明は、このような問題を解決するために成されたもので、その目的は、電圧補償装置におけるインバータの起動時に低圧系統の電圧が適正範囲を超過したり系統擾乱が生じたりすることのない、電圧補償装置および電圧補償装置におけるインバータの連係方法を提供することにある。
【課題を解決するための手段】
【０００８】
上記課題を解決するため、本発明に係る電圧補償装置は、外部の変圧器から出力される電力を負荷側へ送電するための低圧系統である低圧配電線路に直列に一次側を接続された直列変圧器と、前記低圧配電線路から検出される電圧に基づいて前記直列変圧器の二次側に補償電圧を供給し、その補償電圧を直列変圧器の一次側を介して前記低圧配電線路の電圧に重畳せしめるべく出力端子が前記直列変圧器の二次側に接続されたインバータと、前記インバータの出力端子間のバイパス接続の開閉を行うべく設けられたバイパススイッチと、前記インバータの出力電圧を制御する電圧制御部と、前記バイパススイッチの開閉状態を制御して、前記インバータの運転を停止中にする運転モードである停止中モードでは、停止中の前記インバータを保護するべく前記バイパススイッチを閉状態にして前記インバータの出力端子間をバイパス接続し、前記インバータから前記補償電圧を出力させる運転モードである電圧補償モードでは、前記インバータの出力端子間のバイパス接続を解除するべく前記バイパススイッチを開状態にするバイパススイッチ制御部と、を有する電圧補償装置において、
連係準備モードとして、前記バイパススイッチを前記停止中モードの閉状態に保ったままで、前記停止中のインバータを起動してその出力電圧を零電圧に制御し、その後、連係モードとして、前記インバータの出力電圧を前記零電圧に保ったままで（すなわち、インバータの出力端子間電圧を零電圧に保ったままで）、前記バイパススイッチをそれまでの閉状態から開状態に切り替えて前記インバータを前記低圧系統に連係させた後、電圧補償モードとして、前記インバータによる前記補償電圧の出力を実行するように、前記電圧制御部および前記バイパススイッチ制御部の制御動作を前記各モード毎に制御する運転管理部を備えたことを特徴としている。
また、本発明に係る電圧補償装置におけるインバータの連係方法は、外部の変圧器から出力される電力を負荷側へ送電するための低圧系統である低圧配電線路に直列に一次側を接続された直列変圧器と、前記低圧配電線路から検出される電圧に基づいて補償電圧を発生させるインバータとを有し、前記補償電圧を直列変圧器を介して前記低圧配電線路の電圧に重畳せしめて前記低圧配電線路の電力の電圧補償を行う電圧補償装置における、停止中モードにあって停止中の前記インバータを起動するプロセスと、前記停止中のインバータの保護のためにその停止中のインバータの出力端子間をバイパス接続しているバイパススイッチを、前記停止中モードに対応した閉状態から開状態に切り替えることで前記インバータを前記低圧系統に連係せしめて、前記電圧補償を行う電圧補償モードを開始するプロセスとを含んだ、電圧補償装置におけるインバータの連係方法において、
前記バイパススイッチを前記停止中モードに対応した閉状態に保ったままで、前記停止中のインバータの出力電圧を零電圧に制御する連係準備モードのプロセスと、前記連係準備モードのプロセスに続いて、前記インバータの出力電圧を前記零電圧に保ったままで、前記バイパススイッチをそれまでの閉状態から開状態に切り替えて前記インバータを前記低圧系統に連係させる連係モードのプロセスと、前記連係モードのプロセスに続いて、前記インバータから前記補償電圧を出力させて前記電圧補償を行う電圧補償モードのプロセスとを含むようにしたことを特徴としている。
【図面の簡単な説明】
【０００９】
【図１】本発明の実施の形態に係る電圧補償装置の主要部の構成を示す図である。
【図２】本発明の実施の形態に係る電圧補償装置およびそれに設けられているインバータの連係方法における、各運転モード毎でのインバータの運転状態とコンバータの運転状態とバイパススイッチの開閉状態とを関連付けて纏めて示す図である。
【図３】運転モードが停止モードにあるときの、図１に示した電圧補償装置の動作状態を模式的に示す図である。
【図４】運転モードが連係準備モードにあるときの、図１に示した電圧補償装置の動作状態を模式的に示す図である。
【図５】運転モードが連係モードにあるときの、図１に示した電圧補償装置の動作状態を模式的に示す図である。
【図６】運転モードが連係モードから電圧補償モードに移行した後の、図１に示した電圧補償装置の動作状態を模式的に示す図である。
【図７】従来の技術の代表的な一例として特許文献１に開示されている電圧調整装置の主要部の構成を示す図である。
【図８】バイパススイッチが閉状態にあるとき（当該図８の（ａ））と閉状態に切り替えられた後（当該図８の（ｂ））とでの、図７に示した電圧調整装置の動作状態を模式的に示す図である。
【発明を実施するための形態】
【００１０】
以下、本発明の実施の形態に係る電圧補償装置およびそれに設けられているインバータの連係方法を、図面に基づいて詳細に説明する。
この電圧補償装置１は、外部の柱上変圧器２によって高圧系統の電圧を負荷側（需要家側）に供給される低圧系統用の電圧に降圧してなる電力に対して電圧補償を行って、その負荷側に供給される電力の電圧を一定の適正範囲内に保つための装置であって、ｕ相の直列変圧器３（Tr_uo）と、ｖ相の直列変圧器４（Tr_vo）と、バイパススイッチ（SW_B）５と、コンバータ（CNV）６と、インバータ（INV）７と、コンバータ側の連係リアクトル（Lcnv）８と、インバータ側の連係リアクトル（Linv）９と、直流コンデンサ（C）１０とを、その電圧補償のための電気回路系の主要な構成要素として備えている。そして更に、電圧制御部１１と、バイパススイッチ制御部１２と、運転管理部１３とを、上記の電気回路系の動作を制御するための制御系の主要な構成要素として備えている。
【００１１】
柱上変圧器２の二次側すなわち低圧系統側には、ｖ相の低圧配電線路１４と、ｕ相の低圧配電線路１５と、ｏ相の低圧配電線路１６とが設けられている。そして、ｖ相の低圧配電線路１４は分岐してコンバータ６に接続されており、またそれと共に、ｕ相の低圧配電線路１５も分岐し連係リアクトル８を介してコンバータ６に接続されている。
コンバータ６は、低圧配電線路１４、１５から上記の分岐を介して入力される低圧交流電力を直流に変換してインバータ７に供給する単相コンバータであり、その出力端子はインバータ７の入力端子に接続されており、かつその出力端子間には直流コンデンサ１０が接続されている。
インバータ７は、その出力端子の一方が連係リアクトル９を介して、また他方が直接に、直列変圧器３、４の二次側に接続されている。
２つの直列変圧器３、４は、いずれもその二次側がインバータ７に接続されている。そして、ｕ相の直列変圧器３は、その一次側がｕ相の低圧配電線路１５に直列接続されており、ｖ相の直列変圧器４は、その一次側がｖ相の低圧配電線路１４に直列接続されている。これら２つの直列変圧器３、４は、インバータ７から各々の二次側に送られてきた補償電圧を、一次側で低圧配電線路１５、１４の電圧にそれぞれ加算（重畳）する。
バイパススイッチ５は、インバータ７の出力端子間のバイパス接続のオン（ＯＮ）・オフ（ＯＦＦ）を行うためのもので、インバータ７の運転モードが停止中モードのときにそのインバータ７を保護するべく閉状態（オン）にされ、運転モードのときにはインバータ７の正しい運転を妨げることのないようにするべく開状態（オフ）にされる。
【００１２】
なお、上記の電圧補償のための電気回路系それ自体の構成および機能については、一般的なものであってよい。
また、上記の連係リアクトル８の代りに、柱上変圧器２のいわゆる漏れインピーダンスを利用するようにしてもよい。
また、コンバータ６やインバータ７の出力側にフィルタ回路（図示省略）を設けるようにしてもよい。
更に、インバータ７を三相対応のものに変更して、各相(u, o, w)の電圧を独立して別個に補償できるようにすることなども可能である。
【００１３】
電圧制御部１１は、運転管理部１３から送られてくる運転モードの指令、および、低圧配電線路１４、１５間で検出される電圧(uv)に基づいて、インバータ７が運転中で電圧補償モードにあるときには、低圧配電線路１４、１５間の電圧(uv)を所定の適正範囲内に保つための補償電圧をインバータ７により発生させるべく、そのインバータ７およびコンバータ６の運転制御を行い、またインバータ７が電圧補償モード以外のモードにあるときには、以下に詳しく説明するとおり、その各運転モードに従ったインバータ７およびコンバータ６の運転制御を行う。
【００１４】
バイパススイッチ制御部１２は、図２に纏めて示す各運転モードのそれぞれに対応して、バイパススイッチ５の開閉制御を行うことで、インバータ７の出力端子間のバイパス接続のオン・オフを制御するものである。
【００１５】
運転管理部１３は、電圧制御部１１およびバイパススイッチ制御部１２を、図２に纏めて示すとおりの各運転モード毎に予め設定されている制御則に基づいて、制御するものである。
【００１６】
そして、本実施の形態に係る電圧補償装置およびそれに設けられているインバータの連係方法における、停止状態にあったインバータ７を起動し、低圧系統に連係させ、低圧系統の電圧変動の補償を開始するまでの、一連のプロセスの主要部を抽出して纏めると、それは次のようなものとなる。
すなわち、図２の最上段に記載の(I)の「停止中」モードから、第２段の(II)の「連係準備」モードでのインバータ７の零電圧制御開始を経て、第３段の(III)の「連係」モードに到り、そこでインバータ７からの出力電圧を零電圧に保ちつつ（インバータ７の出力端子間電圧を零電圧に保ちつつ）、バイパススイッチ５を閉状態から開状態に切り替えて、第４段の(IV)の「電圧補償」モードに移行するようにしている。
以下、それら各運転モード(I)〜(IV)について逐一説明する。
【００１７】
(I)  停止中モード
この停止中モードでは、図２の最上段の(I)に「停止中」の運転モードとして示されているとおり、インバータ７の運転が停止状態にあり、またそれと共にコンバータ６も停止状態にあり、そして停止中のインバータ７を保護するべくバイパススイッチ５が閉状態にある。
従って、この停止中モードにおいては、図３に模式的に示すように、ｕ相の低圧配電線路１５を流れる電流（Ｉvs_uo1）は、その低圧配電線路１５に直列接続されている直列変圧器３の一次側を流れるので、それに誘導されて直列変圧器３の二次側に電流(Ｉvs_uo2)が生じ、その電流(Ｉvs_uo2)が、閉状態にあるバイパススイッチ５を流れることとなる。また、ｖ相についても同様に、低圧配電線路１４を流れる電流（Ｉvs_vo1）は、その低圧配電線路１４に直列接続されている直列変圧器４の一次側を流れるので、それに誘導されて直列変圧器４の二次側に電流(Ｉvs_vo2)が生じ、その電流(Ｉvs_vo2)が、閉状態にあるバイパススイッチ５を流れることとなる。そして、それらバイパススイッチ５を流れる２つの電流、すなわちｕ相の直列変圧器３の二次側電流（Ｉvs_uo2）とｖ相の直列変圧器４の二次側電流（Ｉvs_vo2）とが、バイパススイッチ５によって重畳されて、バイパス電流（Ｉvs_vo2＋Ｉvs_uo2）となる。而してそのバイパス電流（Ｉvs_vo2＋Ｉvs_uo2）は、直列変圧器３、４の二次側およびバイパススイッチ５を含んで構成される２つの閉じた回路系内のみを流れることとなるので、その外側にあって停止中のインバータ７には、流れ込むことがない。
このようにして、この停止中モードでは、バイパススイッチ５を閉状態に保つことによって、停止中のインバータ７を保護するようにしている。
なお、この停止中モードにおいては、コンバータ６は必ずしも停止しなければならないわけではなく、例えばインバータ７の再起動に備えて、いわゆる待機モードのような運転状態を保つようにしてもよい。
【００１８】
(II)  連係準備モード
この連係準備モードでは、図２の上から第２段目の(II)に「連係準備」の運転モードとして示されているとおり、バイパススイッチ５を、上記(I)の停止中モードから引き続いて、閉状態に保ち続ける。かつ、それと並行して、上記(I)の停止中モードでは停止中の状態にあったインバータ７の運転状態を、零電圧制御の状態、すなわちインバータ７から零電圧を出力する状態にする。これは別の表現で言えば、停止中モードでは運転停止中でいわゆるフローティング状態にあったインバータ７を、この連係準備モードでは起動して、その出力電圧（出力端子間電圧）を積極的に零電圧にする、ということである。
またそれと共に、コンバータ６を運転状態にして一定の直流電圧を出力させ、その直流電圧をインバータ７に供給する。
この連係準備モードでは、図４に模式的に示すように、上記(I)の停止中モードのときと同様に、バイパススイッチ５を通るｖ相の直列変圧器４の二次側電流（Ｉvs_vo2）とｕ相の直列変圧器３の二次側電流（Ｉvs_uo2）とが、バイパススイッチ５を介して重畳されてバイパス電流（Ｉvs_vo2＋Ｉvs_uo2）となって、そのバイパススイッチ５を流れている。
このようにして、連係準備モードでは、バイパススイッチ５を閉状態に保ちつつ、インバータ７を起動して零電圧を出力させるようにすることにより、そのインバータ７の出力端子間電圧を、停止中モードのときのようないわゆるフローティングの状態から、積極的に零（ゼロ）電圧へ移行させる。
なお、この連係準備モードにおいてはバイパススイッチ５を閉状態に保ったままインバータ７を運転するようにしているので、直列コンデンサ１０に短絡等のような不都合な事態が生じる虞があるようにも考えられるが、コンバータ６、インバータ７には連係リアクトル８、９がそれぞれ設けられているので、実際には、直列コンデンサ１０の短絡等が生じる虞はない。
【００１９】
(III)  連係モード
この連係モードでは、図２の上から第３段目の(III)に「連係」の運転モードとして示されているとおり、インバータ７の出力端子間電圧を、上記(II)の連係準備モードから引き続いて零電圧に保ったまま、それまで閉状態のバイパススイッチ５によるバイパス接続によって低圧系統から実質的に隔絶した状態に置かれていたインバータ７を低圧系統に連係するべく、バイパススイッチ５を閉状態から開状態に切り替える。而してその切り替えの際に、低圧系統における電圧超過や系統擾乱のような不都合な過渡的現象が生じることを、この連係モードによれば、回避することができる。
なぜなら、この連係モードでは、インバータ７を従来の技術の場合のような停止中の状態から直ちに電圧補償モードに移行させるのではなくて、上記(II)の連係準備モードで既に準備しておいたとおり、インバータ７の出力端子間電圧を零電圧に保ちつつ、バイパススイッチ５を閉状態から開状態に切り替えるようにしているからである。
より詳しくは、図５に模式的に示すように、バイパススイッチ５を閉状態から開状態に切り替えると、それまで閉状態のバイパススイッチ５によるバイパス接続を流れていたバイパス電流（Ｉvs_vo2＋Ｉvs_uo2）は、その流れがインバータ７側へ転じることとなる。しかし、このときインバータ７の出力端子間電圧は、上記(II)の連係準備モードから引き続きいて閉状態にあったバイパススイッチ５の端子間電圧と同等の零電圧に保たれているので、バイパススイッチ５が開状態に切り替えられた後にインバータ７および直列変圧器３、４を含んで新たに構成される電流経路を流れる電流は、バイパススイッチ５が閉状態にあったときのバイパス電流（Ｉvs_vo2＋Ｉvs_uo2）自体がその流れを当該新たに構成される電流経路転じたもの、ということになる。
従って、この連係モードにおいて上記のようにバイパススイッチ５を閉状態から開状態に切り替えても、その際に直列変圧器３、４の二次側を流れる電流（Ｉvs_vo2，Ｉvs_uo2）は、バイパススイッチ５が閉状態にあったときと同等の電流（Ｉvs_vo2，Ｉvs_uo2）のままであるから、過渡的な変化は生じない。よって、このとき直列変圧器３、４の一次側を流れる電流（Ｉvs_vo1，Ｉvs_uo1）にも過渡的な変化が生じないこととなり、その結果、低圧系統において超過電圧が生じたり系統擾乱が生じたりすることが回避されるのである。
なお、この連係モードでは、上記のようにバイパススイッチ５を閉状態から開状態に切り替えたことによってバイパス電流（Ｉvs_vo2＋Ｉvs_uo2）がその流れをインバータ７側へ急激に転じたとしても、コンバータ６がその一定の直流電圧出力によって直流コンデンサ１０の端子間電圧を常に一定に保っており、またインバータ７の出力側には連係リアクトル９が設けられているので、実際には直流コンデンサ１０の端子間電圧が過渡現象的に急上昇するというような不都合な事態が生じることはない。
【００２０】
(IV)  電圧補償モード
この電圧補償モードでは、図２の上から第４段目の(IV)に「電圧補償」の運転モードとして示されているとおり、バイパススイッチ５が、上記(III)の連係モードによって既に切り替えられて開状態に保たれていると共に、インバータ７の運転状態が、上記(III)の連係モードにおける零電圧制御の状態すなわち端子間電圧が零電圧に制御されている状態から、補償電圧を出力する電圧補償モードの状態に移行されている。また、コンバータ６の運転状態は、一定の直流電圧を出力する運転状態にされており、その出力された直流電圧が、補償電圧を発生するための電源電圧として、インバータ７に供給されている。
この電圧補償モードにおける電圧補償の方法自体およびそれを具現化するための装置構成自体については、一般的なものであってよい。
【００２１】
以上説明したとおり、本発明の実施の形態に係る電圧補償装置およびそれに設けられているインバータの連係方法によれば、インバータ７を停止中モードから電圧補償モードに切り替えて、低圧系統に連係させるべく、バイパススイッチ５を閉状態から開状態に切り替えるに際して、従来の技術の如くそれまで停止中モードにあったインバータ７を起動して直ちに低圧系統に連係させて電圧補償モードに移行するのではなく、連係準備モードにて、一旦、インバータ７の出力電圧を零電圧に制御し、その零電圧制御の運転状態を保ちつつ、連係モードにて、バイパススイッチ５をそれまでの閉状態から開状態に切り替えた後、インバータ７を低圧系統に連係させるようにしている。そしてその連係の完了後、一般的な電圧補償のための電圧補償モードの運転状態に移行するようにしている。
従って、連係モードにてバイパススイッチ５を開状態に切り替えたときに直列変圧器３、４の二次側を流れる電流は、それ以前のバイパススイッチ５が閉状態にあったときのバイパス電流と同等の電流のままとなるので、過渡的な変化が生じないことになる。よって、直列変圧器３、４の一次側を流れる電流にも過渡的な変化が生じないこととなり、その結果、低圧系統に適正範囲を逸脱した超過電圧が生じたり系統擾乱が生じたりすることが回避される。
【００２２】
斯くして、本発明の実施の形態に係る電圧補償装置および電圧補償装置におけるインバータの連係方法によれば、当該電圧補償装置内に設けられているインバータを起動し連係する際に低圧系統の電圧が適正範囲を超過したり系統擾乱が生じたりすることを回避することが可能となるという効果が奏される。
【符号の説明】
【００２３】
１    電圧補償装置
２    柱上変圧器（但、当該電圧補償装置の外部に設置）
３    直列変圧器（ｖ相）
４    直列変圧器（ｕ相）
５    バイパススイッチ
６    コンバータ
７    インバータ
８    連係リアクトル（コンバータ側）
９    連係リアクトル（インバータ側）
１０    直流コンデンサ
１１    電圧制御部
１２    バイパススイッチ制御部
１３    運転管理部
１４    低圧配電線路（ｖ相：但、当該電圧補償装置の外部に設置）
１５    低圧配電線路（ｕ相：但、当該電圧補償装置の外部に設置）
１６    低圧配電線路（ｏ相：但、当該電圧補償装置の外部に設置）
【図１】
0006701814.tif 000002
【図２】
0006701814.tif 000003
【図３】
0006701814.tif 000004
【図４】
0006701814.tif 000005
【図５】
0006701814.tif 000006
【図６】
0006701814.tif 000007
【図７】
0006701814.tif 000008
【図８】
0006701814.tif 000009